(57)【要約】【課題】デジタルビデオカメラ内に大量の映像ファイルが存在する状態で、大量にこれらのファイルをＤＶＤライターなどに直接転送し、作成されたＤＶＤを再生する場合、メニューにもファイル数分の情報が表示され非常に煩わしいという問題があった。【解決手段】複数の映像ファイルを記録するデジタルビデオカメラ１００において、ＤＶＤライターなどの周辺機器３００から複数の映像ファイルのデータ転送要求（ファイル１〜１０）があった場合に、該周辺機器の種類に応じて、該複数の映像ファイルを、そのまま転送するのか、結合して単数の映像ファイル（ファイル３４５，ファイル７８９１０）としてから転送するのかの切替え行う。そして、切替えに応じて、複数の映像ファイルの転送を行う。このようにすることで周辺機器がＤＶＤライターなどであった場合に、これが作成したＤＶＤを再生した際、映像ファイルに係るメニュー表示の煩雑さなどが解消される。【選択図】  図３
2010148051.tif 000002
【特許請求の範囲】
【請求項１】
記録媒体に映像ファイルの記録を行う記録手段と、
前記記録媒体から映像ファイルの読み出しを行う読み出し手段と、
周辺機器と通信を行う通信手段と、
前記通信手段で通信する周辺機器の種類の判別を行う判別手段と、
前記読み出し手段で読み出した複数の映像ファイルを擬似的に単数の映像ファイルとする擬似ファイル作成手段と、
前記読み出し手段で読み出した複数の映像ファイルの結合を行う結合手段と、
前記通信手段で通信する周辺機器の種類に応じて、該周辺機器に、前記読み出し手段で読み出した複数の映像ファイルを、そのまま提示するのか、擬似的に単数の映像ファイルとして提示するのかの切替えを行う切替え手段と、
前記切替え手段の切替えに応じて、前記読み出し手段で読み出した複数の映像ファイルを提示する提示手段と、
前記通信手段で通信する周辺機器からの前記読み出し手段で読み出した複数の映像ファイルのデータ転送要求に対して、該複数の映像ファイルをそのまま提示した場合には、そのままこれら映像ファイルを転送し、前記擬似ファイル作成手段により擬似的に作成した単数の映像ファイルとして提示した場合には、これら複数の映像ファイルを前記結合手段で結合してから単数の映像ファイルとして転送する転送手段と、を有する映像記録装置。
【請求項２】
前記擬似ファイル作成手段により擬似的に単数の映像ファイルとして作成される前記複数の映像ファイル、及び、前記転送手段による転送の際に結合される前記複数の映像ファイルを、所定の撮影時間で記録された映像ファイルに限定する請求項１に記載の映像記録装置。
【請求項３】
被写体の撮影を行う撮影手段と、
撮影開始及び停止の指示を行うための操作手段と、
前記操作手段からの指示により開始された映像の撮影を、前記所定の撮影時間後に自動的に停止するスナップ撮影モードと、前記操作手段からの指示により開始された映像の撮影を、再度の前記操作手段からの指示により停止する通常撮影モードとを切替えるモード切替え手段と、を更に有し、
前記スナップ撮影モードまたは前記通常撮影モードで撮影された映像ファイルを前記記録手段により記録し、
前記擬似ファイル作成手段により擬似的に単数の映像ファイルとして作成される前記複数の映像ファイル、及び、前記転送手段による転送の際に結合される前記複数の映像ファイルを、前記スナップ撮影モードで撮影された映像ファイルに限定する請求項２に記載の映像記録装置。
【請求項４】
前記擬似ファイル作成手段により擬似的に単数の映像ファイルとして作成される前記複数の映像ファイル、及び、前記転送手段による転送の際に結合される前記複数の映像ファイルを、前記記録媒体において連続して記録された前記所定の撮影時間の映像ファイルとする請求項２又は３に記載に映像記録装置。
【請求項５】
記録媒体に映像ファイルの記録を行う記録手段と、
前記記録媒体から映像ファイルの読み出しを行う読み出し手段と、
周辺機器と通信を行う通信手段と、
前記通信手段で通信する周辺機器の種類の判別を行う判別手段と、
前記読み出し手段で読み出した複数の映像ファイルの結合を行う結合手段と、
前記通信手段で通信する周辺機器からの前記読み出し手段で読み出した複数の映像ファイルのデータ転送要求に対して、該周辺機器の種類に応じて、該複数の映像ファイルを、そのまま転送するのか、前記結合手段で結合してから単数の映像ファイルとして転送するのかの切替え行う切替え手段と、
前記切替え手段の切替えに応じて、前記読み出し手段で読み出した複数の映像ファイルの転送を行う転送手段と、を有する映像記録装置。
【請求項６】
前記転送手段による転送の際に結合される前記複数の映像ファイルを、所定の撮影時間で記録された映像ファイルに限定する請求項５に記載の映像記録装置。
【請求項７】
被写体の撮影を行う撮影手段と、
撮影開始及び停止の指示を行うための操作手段と、
前記操作手段からの指示により開始された動画の撮影を、前記所定の撮影時間後に自動的に停止するスナップ撮影モードと、前記操作手段からの指示により開始された動画の撮影を、再度の前記操作手段からの指示により停止する通常撮影モードとを切替えるモード切替え手段と、を更に有し、
前記スナップ撮影モードまたは通常撮影モードで撮影された映像ファイルを前記記録手段により記録し、
前記転送手段による転送の際に結合される前記複数の映像ファイルを、前記スナップ撮影モードで撮影された映像ファイルに限定する請求項６に記載の映像記録装置。
【請求項８】
前記転送手段による転送の際に結合される前記複数の映像ファイルを、前記記録媒体において連続して記録された前記所定の撮影時間の映像ファイルとする請求項６又は７に記載の映像記録装置。
【請求項９】
前記結合した映像ファイルを前記通信手段で通信する周辺機器に転送した後、該映像ファイルを自動的に削除する請求項１〜８のいずれか１項に記載の映像記録装置。
【請求項１０】
前記結合した映像ファイルを前記通信手段で通信する周辺機器に転送した後、該映像ファイルを新しい映像ファイルとして保存する請求項１〜８のいずれか１項に記載の映像記録装置。
【請求項１１】
前記結合した映像ファイルを前記通信手段で通信する周辺機器に転送した後、該映像ファイルを削除するか、新しい映像ファイルとして保存するかを、選択可能とする請求項１〜８のいずれか１項に記載の映像記録装置。
【請求項１２】
前記複数の映像ファイルを擬似的に単数の映像ファイルとして提示した後に、前記結合手段で結合して単数の映像ファイルとして転送する場合、データ転送を行いながら、結合処理を行うようにする請求項１〜４のいずれか１項に記載の映像記録装置。
【請求項１３】
記録媒体に映像ファイルの記録を行う記録手段と、前記記録媒体から映像ファイルの読み出しを行う読み出し手段と、周辺機器と通信を行う通信手段と、前記読み出し手段で読み出した複数の映像ファイルの結合を行う結合手段と、を有する映像記録装置の制御方法であって、
前記通信手段で通信する周辺機器の種類の判別を行う判別ステップと、
前記通信手段で通信する周辺機器の種類に応じて、該周辺機器に、前記読み出し手段で読み出した複数の映像ファイルを、そのまま提示するのか、擬似的に単数の映像ファイルとして提示するのかの切替えを行う切替えステップと、
前記切替えステップの切替えに応じて、前記読み出し手段で読み出した複数の映像ファイルを擬似的に単数の映像ファイルとする擬似ファイル作成ステップと、
前記切替えステップの切替えに応じて、前記読み出し手段で読み出した複数の映像ファイルを提示する提示ステップと、
前記通信手段で通信する周辺機器からの前記読み出し手段で読み出した複数の映像ファイルのデータ転送要求に対して、該複数の映像ファイルをそのまま提示した場合には、そのままこれら映像ファイルを転送し、前記擬似ファイル作成ステップにより擬似的に作成した単数の映像ファイルとして提示した場合には、これら複数の映像ファイルを前記結合手段で結合してから単数の映像ファイルとして転送する転送ステップと、を有することを特徴とする映像記録装置の制御方法。
【請求項１４】
記録媒体に映像ファイルの記録を行う記録手段と、前記記録媒体から映像ファイルの読み出しを行う読み出し手段と、周辺機器と通信を行う通信手段と、前記読み出し手段で読み出した複数の映像ファイルの結合を行う結合手段と、を有する映像記録装置の制御方法であって、
前記通信手段で通信する周辺機器の種類の判別を行う判別ステップと、
前記通信手段で通信する周辺機器からの前記読み出し手段で読み出した複数の映像ファイルのデータ転送要求に対して、該周辺機器の種類に応じて、該複数の映像ファイルを、そのまま転送するのか、前記結合手段で結合してから単数の映像ファイルとしてから転送するのかの切替え行う切替えステップと、
前記切替えステップの切替えに応じて、前記読み出し手段で読み出した複数の映像ファイルの転送を行う転送ステップと、を有することを特徴とする映像記録装置の制御方法。
【請求項１５】
記録媒体に映像ファイルの記録を行う記録手段と、前記記録媒体から映像ファイルの読み出しを行う読み出し手段と、周辺機器と通信を行う通信手段と、前記読み出し手段で読み出した複数の映像ファイルの結合を行う結合手段と、を有する映像記録装置の制御をコンピュータに実行させるためのプログラムであって、
前記通信手段で通信する周辺機器の種類の判別を行う判別ステップと、
前記通信手段で通信する周辺機器の種類に応じて、該周辺機器に、前記読み出し手段で読み出した複数の映像ファイルを、そのまま提示するのか、擬似的に単数の映像ファイルとして提示するのかの切替えを行う切替えステップと、
前記切替えステップの切替えに応じて、前記読み出し手段で読み出した複数の映像ファイルを擬似的に単数の映像ファイルとする擬似ファイル作成ステップと、
前記切替えステップの切替えに応じて、前記読み出し手段で読み出した複数の映像ファイルを提示する提示ステップと、
前記通信手段で通信する周辺機器からの前記読み出し手段で読み出した複数の映像ファイルのデータ転送要求に対して、該複数の映像ファイルをそのまま提示した場合には、そのままこれら映像ファイルを転送し、前記擬似ファイル作成ステップにより擬似的に作成した単数の映像ファイルとして提示した場合には、これら複数の映像ファイルを前記結合手段で結合してから単数の映像ファイルとして転送する転送ステップと、をコンピュータに実行させることを特徴とするプログラム。
【請求項１６】
記録媒体に映像ファイルの記録を行う記録手段と、前記記録媒体から映像ファイルの読み出しを行う読み出し手段と、周辺機器と通信を行う通信手段と、前記読み出し手段で読み出した複数の映像ファイルの結合を行う結合手段と、を有する映像記録装置の制御をコンピュータに実行させるためのプログラムであって、
前記通信手段で通信する周辺機器の種類の判別を行う判別ステップと、
前記通信手段で通信する周辺機器からの前記読み出し手段で読み出した複数の映像ファイルのデータ転送要求に対して、該周辺機器の種類に応じて、該複数の映像ファイルを、そのまま転送するのか、前記結合手段で結合してから単数の映像ファイルとしてから転送するのかの切替え行う切替えステップと、
前記切替えステップの切替えに応じて、前記読み出し手段で読み出した複数の映像ファイルの転送を行う転送ステップと、をコンピュータに実行させることを特徴とするプログラム。
【発明の詳細な説明】
【技術分野】
【０００１】
本発明は、記録媒体への映像ファイルの記録、記録媒体からの映像ファイルの読み出し、周辺機器とのデータ通信が可能な映像記録装置、その制御方法及びプログラムに関する。
【背景技術】
【０００２】
パーソナルコンピュータ（以下、ＰＣあるいはパソコンと呼ぶ）を介さず、デジタルビデオカメラ（以下、ＤＶＣと呼ぶ）と直接接続してＤＶＤ作成を行うような周辺機器、いわゆるＤＶＤライター、ＤＶＤバーナーがある。
【０００３】
一方、近年、ＤＶＣでは、１シーンの撮影時間を一定の短い時間に自動的に制限する、いわゆるスナップ撮影をすることができるものがある。
【０００４】
従来、スナップ撮影で記録した大量のファイルを、ＤＶＣからＤＶＤライターなどに直接転送してＤＶＤを作成するような場合、ＤＶＣ内の映像ファイルがそのまま転送されるため、ＤＶＤにおいて短い時間のファイルが大量に書き込まれてしまっていた。
【０００５】
特許文献１には、デジタル動画ビデオカメラと、画像ファイルをビデオＤＶＤディスクに自動的に転送するドッキングユニットとで、画像ファイルを扱う技術が開示されている。この技術では、オプションとして、いくつかの動画ビデオ画像セグメントを単一シーケンスとして取り扱われるべきであることを示す自動再生ファイル（例えばＡＵＴＰＬＡＹ１．ＭＲＫファイル）を生成することができる。
【０００６】
また、特許文献２には、ビデオカメラの撮影映像などを、中間媒体を用いることなく、直接、ＤＶＤ−Ｒなどの記録媒体(光ディスク)に記録することの可能な記録装置及びディスク記録方法が開示されている。この技術では、コンテンツデータにナビゲーションデータを付加し予め定められたフォーマットに変換し、記録することができる。
【０００７】
【特許文献１】特開２００４−３２６９０号公報
【特許文献２】特開平１１−２３２７９２号公報
【発明の開示】
【発明が解決しようとする課題】
【０００８】
しかしながら上記特許文献１に記載された技術では、いくつかの動画ビデオ画像セグメントを単一シーケンスとして取り扱うのみで、実際に複数の映像ファイルを結合するのではない。また上記特許文献２に記載された技術では、付加情報を含めて変換するのみで、複数の映像ファイル同士を結合するものではない。
【０００９】
そのため、これら従来の技術では、ＤＶＣ内に大量の映像ファイルが存在する状態で、大量にＤＶＤライターなどに直接転送し、ＤＶＤを作成し、作成されたＤＶＤを再生する場合、メニューにもファイル数分の情報が表示され非常に煩わしいという問題があった。また、ＤＶＤを再生した際に、通常撮影したファイルとスナップ撮影で撮影したファイルとの区別がつきにくく、ユーザの意図した再生結果が得られにくいという問題点もあった。
【００１０】
本発明は係る実情に鑑みてなされたものであり、映像ファイルを転送する周辺機器に応じて、最適な映像ファイル転送を行う映像記録装置などの提供を目的とする。より具体的には、ＤＶＣ内に大量の映像ファイルが存在する状態で、大量にＤＶＤライターなどに映像ファイルを直接転送し、ＤＶＤを作成するような場合に、作成されたＤＶＤにおけるファイル表示の煩わしさなどを解消することを目的とする。
【課題を解決するための手段】
【００１１】
本発明の映像記録装置は、記録媒体に映像ファイルの記録を行う記録手段と、前記記録媒体から映像ファイルの読み出しを行う読み出し手段と、周辺機器と通信を行う通信手段と、前記通信手段で通信する周辺機器の種類の判別を行う判別手段と、前記読み出し手段で読み出した複数の映像ファイルを擬似的に単数の映像ファイルとする擬似ファイル作成手段と、前記読み出し手段で読み出した複数の映像ファイルの結合を行う結合手段と、前記通信手段で通信する周辺機器の種類に応じて、該周辺機器に、前記読み出し手段で読み出した複数の映像ファイルを、そのまま提示するのか、擬似的に単数の映像ファイルとして提示するのかの切替えを行う切替え手段と、前記切替え手段の切替えに応じて、前記読み出し手段で読み出した複数の映像ファイルを提示する提示手段と、前記通信手段で通信する周辺機器からの前記読み出し手段で読み出した複数の映像ファイルのデータ転送要求に対して、該複数の映像ファイルをそのまま提示した場合には、そのままこれら映像ファイルを転送し、前記擬似ファイル作成手段により擬似的に作成した単数の映像ファイルとして提示した場合には、これら複数の映像ファイルを前記結合手段で結合してから単数の映像ファイルとして転送する転送手段と、を有する。
また、本発明の他の映像記録装置は、記録媒体に映像ファイルの記録を行う記録手段と、前記記録媒体から映像ファイルの読み出しを行う読み出し手段と、周辺機器と通信を行う通信手段と、前記通信手段で通信する周辺機器の種類の判別を行う判別手段と、前記読み出し手段で読み出した複数の映像ファイルの結合を行う結合手段と、前記通信手段で通信する周辺機器からの前記読み出し手段で読み出した複数の映像ファイルのデータ転送要求に対して、該周辺機器の種類に応じて、該複数の映像ファイルを、そのまま転送するのか、前記結合手段で結合してから単数の映像ファイルとしてから転送するのかの切替え行う切替え手段と、前記切替え手段の切替えに応じて、前記読み出し手段で読み出した複数の映像ファイルの転送を行う転送手段と、を有する。
また、本発明の映像記録装置の制御方法は、記録媒体に映像ファイルの記録を行う記録手段と、前記記録媒体から映像ファイルの読み出しを行う読み出し手段と、周辺機器と通信を行う通信手段と、前記読み出し手段で読み出した複数の映像ファイルの結合を行う結合手段と、を有する映像記録装置の制御方法であって、前記通信手段で通信する周辺機器の種類の判別を行う判別ステップと、前記通信手段で通信する周辺機器の種類に応じて、該周辺機器に、前記読み出し手段で読み出した複数の映像ファイルを、そのまま提示するのか、擬似的に単数の映像ファイルとして提示するのかの切替えを行う切替えステップと、前記切替えステップの切替えに応じて、前記読み出し手段で読み出した複数の映像ファイルを擬似的に単数の映像ファイルとする擬似ファイル作成ステップと、前記切替えステップの切替えに応じて、前記読み出し手段で読み出した複数の映像ファイルを提示する提示ステップと、前記通信手段で通信する周辺機器からの前記読み出し手段で読み出した複数の映像ファイルのデータ転送要求に対して、該複数の映像ファイルをそのまま提示した場合には、そのままこれら映像ファイルを転送し、前記擬似ファイル作成ステップにより擬似的に作成した単数の映像ファイルとして提示した場合には、これら複数の映像ファイルを前記結合手段で結合してから単数の映像ファイルとして転送する転送ステップと、を有することを特徴とする。
また、本発明の他の映像記録装置の制御方法は、記録媒体に映像ファイルの記録を行う記録手段と、前記記録媒体から映像ファイルの読み出しを行う読み出し手段と、周辺機器と通信を行う通信手段と、前記読み出し手段で読み出した複数の映像ファイルの結合を行う結合手段と、を有する映像記録装置の制御方法であって、前記通信手段で通信する周辺機器の種類の判別を行う判別ステップと、前記通信手段で通信する周辺機器からの前記読み出し手段で読み出した複数の映像ファイルのデータ転送要求に対して、該周辺機器の種類に応じて、該複数の映像ファイルを、そのまま転送するのか、前記結合手段で結合してから単数の映像ファイルとしてから転送するのかの切替え行う切替えステップと、前記切替えステップの切替えに応じて、前記読み出し手段で読み出した複数の映像ファイルの転送を行う転送ステップと、を有することを特徴とする。
また、本発明のプログラムは、記録媒体に映像ファイルの記録を行う記録手段と、前記記録媒体から映像ファイルの読み出しを行う読み出し手段と、周辺機器と通信を行う通信手段と、前記読み出し手段で読み出した複数の映像ファイルの結合を行う結合手段と、を有する映像記録装置の制御をコンピュータに実行させるためのプログラムであって、前記通信手段で通信する周辺機器の種類の判別を行う判別ステップと、前記通信手段で通信する周辺機器の種類に応じて、該周辺機器に、前記読み出し手段で読み出した複数の映像ファイルを、そのまま提示するのか、擬似的に単数の映像ファイルとして提示するのかの切替えを行う切替えステップと、前記切替えステップの切替えに応じて、前記読み出し手段で読み出した複数の映像ファイルを擬似的に単数の映像ファイルとする擬似ファイル作成ステップと、前記切替えステップの切替えに応じて、前記読み出し手段で読み出した複数の映像ファイルを提示する提示ステップと、前記通信手段で通信する周辺機器からの前記読み出し手段で読み出した複数の映像ファイルのデータ転送要求に対して、該複数の映像ファイルをそのまま提示した場合には、そのままこれら映像ファイルを転送し、前記擬似ファイル作成ステップにより擬似的に作成した単数の映像ファイルとして提示した場合には、これら複数の映像ファイルを前記結合手段で結合してから単数の映像ファイルとして転送する転送ステップと、をコンピュータに実行させることを特徴とする。
また、本発明の他のプログラムは、記録媒体に映像ファイルの記録を行う記録手段と、前記記録媒体から映像ファイルの読み出しを行う読み出し手段と、周辺機器と通信を行う通信手段と、前記読み出し手段で読み出した複数の映像ファイルの結合を行う結合手段と、を有する映像記録装置の制御をコンピュータに実行させるためのプログラムであって、前記通信手段で通信する周辺機器の種類の判別を行う判別ステップと、前記通信手段で通信する周辺機器からの前記読み出し手段で読み出した複数の映像ファイルのデータ転送要求に対して、該周辺機器の種類に応じて、該複数の映像ファイルを、そのまま転送するのか、前記結合手段で結合してから単数の映像ファイルとしてから転送するのかの切替え行う切替えステップと、前記切替えステップの切替えに応じて、前記読み出し手段で読み出した複数の映像ファイルの転送を行う転送ステップと、をコンピュータに実行させることを特徴とする。
【発明の効果】
【００１２】
本発明によれば、通信する周辺機器に応じて、複数の映像ファイルをそのまま転送するのか、自動的に結合して単数の映像ファイルとして転送するのかを切替えるようにすることで、通信先となる周辺機器に応じた最適な映像ファイル転送を行うことができる。
【発明を実施するための最良の形態】
【００１３】
以下、本発明の実施の形態を説明する。図１は、本発明の実施の形態に係る映像記録装置としてのデジタルビデオカメラ１００の構成例を示したブロック図である。
【００１４】
図１に示すように、デジタルビデオカメラ１００は、撮像部１０１、マイクロフォン１０２、操作部１０３、システム制御部１０４、記録再生部１０５、記録媒体であるハードディスクドライブ（ＨＤＤ）１０６を備える。更に、デジタルビデオカメラ１００は、液晶パネル１０７、映像出力端子１０８、音声出力端子１０９、スピーカー１３２、外部Ｉ／Ｆ（インターフェース）制御部１３１、記録処理ブロック１１０、再生処理ブロック１２０を備える。
【００１５】
記録処理ブロック１１０は、映像信号処理部１１１、音声信号処理部１１２、映像データ符号化部１１３、音声データ符号化部１１４、メタデータ生成部１１５、データ符号化処理部１１６を含み構成される。
【００１６】
再生処理ブロック１２０は、映像出力部１２１、音声出力部１２２、映像データ復号化部１２３、音声データ復号化部１２４、データ復号化処理部１２５を含み構成される。
【００１７】
以下、上述した各部の詳細を説明する。
【００１８】
操作部１０３は、ユーザがデジタルビデオカメラ１００に各種設定や指示を行うためのマンマシーンインタフェースである。本実施の形態において、操作部１０３には、電源スイッチ、動作モード切替えスイッチ、トリガーボタン、一時停止ボタン、再生ボタン、早送りボタン、巻き戻しボタン、停止ボタン、メニューボタン、上・下・左・右ボタン、決定ボタンなどが含まれる。なお、操作部１０３は、本発明でいう操作手段に対応しており、より詳しくは、撮影開始、撮影停止を指示するトリガーボタンが本発明でいう操作手段の一構成例に対応するものである。
【００１９】
システム制御部１０４は、デジタルビデオカメラ１００を統合的に制御する。システム制御部１０４は、マイクロプロセッサ、プログラムメモリやワークメモリなどの外部メモリ、この外部メモリをコントロールするメモリコントローラなどのロジック、時計部、タイマー機能、Ｉ／Ｏポートなどにより構成される。
【００２０】
記録処理ブロック１１０は、記録動作を実行する。操作部１０３の動作モード切り替えスイッチにより記録モードがセットされた状態で、トリガーボタンが押下されると、システム制御部１０４がこれを検知し、記録処理ブロック１１０の各部が制御され、記録動作が開始される。
【００２１】
記録処理ブロック１１０は、撮像部１０１より得られる映像データを符号化し、所定の形式で記録再生部１０５に出力する。
【００２２】
記録再生部１０５は、記録処理ブロック１１０から出力されるデータ列に、ファイル形式毎に定められたヘッダ等の付加情報を付加して映像ファイルを生成し、ＨＤＤ１０６に記録する。
【００２３】
ここで、記録処理ブロック１１０における処理を詳細に説明する。記録処理ブロック１１０において、撮像部１０１から入力される被写体に係る映像データは、まず映像信号処理部１１１に供給される。映像信号処理部１１１は、撮像部１０１からの映像データに対し、予め定められた符号化形式での符号化に必要な処理、例えばサブサンプルなどの処理を施し、映像データ符号化部１１３に出力する。
【００２４】
映像データ符号化部１１３は、映像信号処理部１１１からの映像データを、予め定められた符号化形式、例えばＭＰＥＧ２形式やＭｏｔｉｏｎ ＪＰＥＧ形式等に従って符号化し、符号化データをデータ符号化処理部１１６に出力する。映像データ符号化部１１３はまた、一つの映像ファイルの代表画像としてのサムネイル画像を生成し、サムネイル画像のデータをデータ符号化処理部１１６に出力する。
【００２５】
一方、マイクロフォン１０２からの音声データは、音声信号処理部１１２に入力される。音声信号処理部１１２は、マイクロフォン１０２からの音声信号をデジタルデータに変換する。音声信号処理部１１２は更に、音声データにノイズ抑圧や増幅等の処理を施し、音声データ符号化部１１４に出力する。音声データ符号化部１１４は、音声信号処理部１１２からの音声データを予め定められた符号化形式、例えばＭＰＥＧ２形式に従って符号化し、データ符号化処理部１１６に出力する。
【００２６】
また、メタデータ生成部１１５は、撮影日時や絞り値（Ｆ値）などの撮影情報を示すメタデータを生成し、データ符号化処理部１１６に出力する。
【００２７】
データ符号化処理部１１６は、映像データ符号化部１１３からの符号化映像データと、音声データ符号化部１１４からの符号化音声データとを、ＭＰＥＧ２形式またはＪＰＥＧ形式のトランスポートストリーム（ＴＳ）形式に変換する。データ符号化処理部１１６はまた、メタデータ生成部１１５が出力するメタデータと、映像データ符号化部１１３からのサムネイル画像とを、ＴＳ形式のデータファイルのヘッダあるいはフッタに、画像ファイルの付随情報として格納する。そして、データ符号化処理部１１６は、ＴＳ形式に変換した映像ファイルを、記録再生部１０５に出力する。
【００２８】
デジタルビデオカメラ１００では、記録開始の指示が入力されてから記録停止の指示が入力されるまでの間に、上記のように撮像部１０１及びマイクロフォン１０２から入力された映像データ、音声データをまとめて一つのファイルとして記録する。
【００２９】
記録開始（撮影開始）の指示は、操作部１０３のトリガーボタンの押下により行われる。記録停止（撮影停止）の指示は、通常撮影モードでは再度のトリガーボタンの押下により行われる。スナップ撮影モードでは、１シーン（動画）の撮影時間を一定の短い時間（例えば４秒などの所定の撮影時間）に自動的に制限し、係る撮影時間後にシステム制御部１０４により内部的に停止が行われる。
【００３０】
ユーザにより予めスナップ撮影モードが選択されていると、操作部１０３のトリガーボタンの押下により、システム制御部１０４は、撮影を開始すると共に、内部カウンタをスタートさせる。そして、撮影時間の計測を開始し、予め定められた短い一定時間（例えば４秒）を経過すると、システム制御部１０４は、自動的に記録を停止させる。記録の停止が行われると、データ符号化処理部１１６は、メタデータ生成部１１５からのメタデータ及び映像データ符号化部１１３からのサムネイル画像を各ファイルのヘッダあるいはフッタに格納する。ヘッダにはこの他、ファイル名、更に、スナップ撮影モードの場合には、スナップ撮影フラグなども記録される。なお、スナップ撮影モードと通常撮影モードとの切替えは、操作部１０３を操作することで行われる。この構成は、本発明でいうモード切替え手段の一構成例に対応する。
【００３１】
次に、再生処理ブロック１２０について説明する、再生処理ブロック１２０は、再生動作を実行する。操作部１０３の動作モード切り替えスイッチにより再生モードがセットされた状態で、再生ボタンが押下されると、システム制御部１０４がこれを検知し、再生処理ブロック１２０の各部が制御され再生動作が開始される。
【００３２】
再生モードでは、ＨＤＤ１０６に記録されている各映像ファイルのヘッダ又はフッタに格納されたサムネイル画像が読み出され、表示装置の一例である液晶パネル１０７に一覧表示される。ユーザは液晶パネル１０７に表示されたサムネイル画像を確認し、例えば操作部１０３に含まれる上・下・左・右キーを操作し、再生を希望するファイルのサムネイル画像を選択状態とし、決定ボタン等を押下して再生すべき映像ファイルを指定することができる。システム制御部１０４は、再生すべき映像ファイルが指定されると、再生処理ブロック１２０の各部を制御して、指定された映像ファイルを復号化して液晶パネル１０７に表示する。
【００３３】
ここで、再生処理ブロック１２０における処理を詳細に説明する。システム制御部１０４は、再生すべき映像ファイルが指定されると、記録再生部１０５を制御し、指定された映像ファイルをＨＤＤ１０６から読み出し、再生処理ブロック１２０へ供給する。つまり再生処理ブロック１２０では、指定された映像ファイルを、記録再生部１０５を通じてＨＤＤ１０６から取得する。そして、その映像ファイル内の映像データ及び音声データを復号化し、それぞれ映像出力端子１０８、音声出力端子１０９から出力すると共に、再生された映像を液晶パネル１０７に表示し、音声をスピーカー１３２から出力する。
【００３４】
より詳しく説明すると、記録再生部１０５によりＨＤＤ１０６から読み出された映像ファイルは、まずデータ復号化処理部１２５に出力される。データ復号化処理部１２５は、供給された映像ファイルから映像データ、音声データを検出し、更に、映像ファイルのヘッダ又はフッタからメタデータを検出する。そして、データ復号化処理部１２５は、映像データを映像データ復号化部１２３に、音声データを音声データ復号化部１２４にそれぞれ出力する。
【００３５】
映像データ復号化部１２３は、データ復号化処理部１２５から出力された映像データを復号化し、映像出力部１２１に出力する。映像出力部１２１は、復号化された映像データを外部モニタやその他外部機器で処理するのに適した形式に変換し、映像出力端子１０８や液晶パネル１０７の少なくとも一方に出力する。
【００３６】
一方、音声データ復号化部１２４は、データ復号化処理部１２５から出力された音声データを復号化し、音声出力部１２２に出力する。音声出力部１２２は、復号化された音声信号を外部機器で処理するのに適した形式に変換し、音声出力端子１０９に出力する。なお、スピーカー１３２にも音声信号を出力しても良い。
【００３７】
次に、外部Ｉ／Ｆ制御部１３１について説明する。外部Ｉ／Ｆ制御部１３１は、例えばＵＳＢなどのデジタルインターフェースであり、デジタルビデオカメラ１００と周辺機器ホスト、例えばパソコンやＤＶＤライターなどとの接続を行い、データ通信をする。外部Ｉ／Ｆ制御部１３１は、システム制御部１０４の指示により、通信先となる周辺機器ホストからの要求に応じて、映像ファイルの転送を行う。
【００３８】
デジタルビデオカメラ１００におけるデータ転送処理では、外部Ｉ／Ｆ制御部１３１は、まずデジタルビデオカメラ１００と周辺機器ホストとの接続を検出する。周辺機器ホストとの接続を検出すると、外部Ｉ／Ｆ制御部１３１は、接続された周辺機器ホストの種類を判別し、その種類情報と共に、周辺機器ホストと接続されたことをシステム制御部１０４に通知する。
【００３９】
また外部Ｉ／Ｆ制御部１３１は、周辺機器ホストからのデータ転送要求を受け取り、システム制御部１０４に通知する。この場合、システム制御部１０４は、記録再生部１０５を介して、所望の映像ファイルをＨＤＤ１０６から読み出し、必要に応じて、映像ファイルを結合し、周辺機器ホストに転送する。なお、外部Ｉ／Ｆ制御部１３１は、本発明でいう通信手段の一構成例に対応するものである。
【００４０】
以上のような構成を有するデジタルビデオカメラ１００では、上述したようにＨＤＤ１０６に記録した映像ファイルを結合して一つの映像ファイルとして扱い、周辺機器ホストに転送することができる。映像ファイルを結合する場合には、ＨＤＤ１０６から読み出した映像ファイルを、記録再生部１０５を介して、一旦、データ符号化処理部１１６に送り、結合部分の再エンコードを行い、結合処理を行う。映像ファイルの結合方法に関しては、各種の編集アプリケーションなどで公知のため、ここでの説明は割愛する。
【００４１】
図２は、周辺機器ホストであるＤＶＤライターあるいはＤＶＤバーナーからの映像ファイル転送要求に対して、スナップ撮影モードで撮影された複数の映像ファイルをピックアップし、単数の映像ファイルに結合してから転送する際のフローチャートである。以下、係る動作の詳細を説明する。なお、以下で説明する動作は、システム制御部１０４がデジタルビデオカメラ１００内の各部を制御することで実行される。
【００４２】
まず、ステップＳ２０１においてシステム制御部１０４は、外部Ｉ／Ｆ制御部１３１を介して、周辺機器が接続されたか否かを検出する。周辺機器の接続を検出するとステップＳ２０２に進む。
【００４３】
ステップＳ２０２においてシステム制御部１０４は、周辺機器からの映像ファイル情報提示要求を待つ。提示要求があった場合はステップＳ２０３に進む。ここでいう映像ファイル情報とは、映像ファイルに係る簡易情報（メタデータなど）であり、名称、サイズ、種類、更新日時などが含まれる。
【００４４】
ステップＳ２０３においてシステム制御部１０４は、記録再生部１０５を介して、ＨＤＤ１０６から映像ファイル情報を取得する（読み出す）。
【００４５】
次にステップＳ２０４においてシステム制御部１０４は、接続された周辺機器がＤＶＤライターか、それ以外（パソコン等）かを検出する。ＤＶＤライターであればステップＳ２０５に進み、そうでなければステップＳ２０７に進む。なお、ここでの処理は、本発明でいう判別手段、及び切替え手段の一処理例に対応する。
【００４６】
ステップＳ２０５においては、システム制御部１０４は、スナップ撮影フラグをもとに、スナップ撮影された映像ファイルを検出し、ピックアップ（抽出）する。
【００４７】
次にステップＳ２０６においてシステム制御部１０４は、ステップＳ２０５でピックアップした複数の連続したスナップ撮影映像ファイルを擬似的に１つのファイルとして結合する処理を行う。具体的には、複数の映像ファイルから、ストリームデータなどを伴わない空のファイルを作成する。ここでは、映像ファイルを実際に結合する前に、擬似的に１つのファイルとして結合して扱う場合の例を挙げているが、この処理は必ずしも行わなくとも構わない。通常、ファイルの結合には時間を要するため、ここで、擬似的にファイルの結合処理を行うことで、周辺機器への実際の映像ファイルの転送、すなわち次のステップへの移行時間を短縮できる利点がある。なお、ここでの処理の対象となる映像ファイルはスナップ撮影映像ファイルに限定される。また、ここで説明した処理は、本発明でいう擬似ファイル作成手段の一処理例に対応する。
【００４８】
そしてステップＳ２０７においてシステム制御部１０４は、デジタルビデオカメラ１００内の映像ファイル情報を、接続された周辺機器に提示し、ステップＳ２０８に進む。ここで、周辺機器がＤＶＤライターであれば（ステップＳ２０６で擬似的に結合する処理を行った場合）、個々の映像ファイルの映像ファイル情報の代わりに、複数の映像ファイルを擬似的に結合した映像ファイル（空ファイル）の映像ファイル情報が提示される。また、周辺機器がＤＶＤライター以外であれば、デジタルビデオカメラに記録された個々の映像ファイルの映像ファイル情報が提示される。なお、ここでいう提示とは、映像ファイル情報、すなわち名称、サイズ、種類、更新日時などを実体画像を伴わない形式で、周辺機器に送信することなどである。また、ここでの処理は、本発明でいう提示手段の一処理例に対応する。
【００４９】
次に、ステップＳ２０８においては、システム制御部１０４は、周辺機器からの映像ファイル転送要求を待つ。映像ファイルの転送要求があった場合はステップＳ２０９に進む。
【００５０】
ステップＳ２０９においてシステム制御部１０４は、接続された周辺機器が、ＤＶＤライターか、それ以外（パソコン等）かを検出する。ＤＶＤライターであればステップＳ２１０に進み、そうでなければステップＳ２１１に進む。なお、ここでの処理は、本発明でいう判別手段、及び切替え手段の一処理例に対応する。
【００５１】
ステップＳ２１０においては、システム制御部１０４は、上記ピックアップされた複数の連続したスナップ撮影映像ファイルを１つのファイルとして結合する処理を行う。なお、ここでの処理は、本発明でいう結合手段の一処理例に対応する。
【００５２】
そしてステップＳ２１１においてシステム制御部１０４は、周辺機器からの映像ファイル転送要求の内容に従い、順次映像ファイルの転送を行う。なお、ここでは、ステップＳ２１０で予め映像ファイルの結合を行う場合の例を挙げているが、ファイルの結合処理は、上述のように、結合部分のみの再エンコード処理となるため、それ以外の部分のファイル転送処理を行いながら、結合処理を行っても構わない。なお、ここでの処理は、本発明でいう転送手段の一処理例に対応する。
【００５３】
次にステップＳ２１２においては、システム制御部１０４は、転送要求のあった全ての映像ファイルの転送終了を待つ。転送の終了が確認されるとステップＳ２１３に進む。
【００５４】
ここで図３は、ここまでの動作を説明するイメージ図である。図３において、映像ファイル１、２、６は、通常撮影された映像ファイルを示す。映像ファイル３、４、５、７、８、９、１０は、スナップ撮影された映像ファイルを示す。この例では、上述の動作により、連続するスナップ撮影された映像ファイル３、４、５は、映像ファイル３４５として結合され、映像ファイル７、８、９、１０は、映像ファイル７８９１０として結合される。そして、映像ファイル１、２、映像ファイル３４５、映像ファイル６、映像ファイル７８９１０の５つの映像ファイルが、デジタルビデオカメラ１００からＤＶＤライター３００に転送されることになる。
【００５５】
なお、ステップＳ２０６の擬似的にファイルを結合する処理では、映像ファイル３、４、５からストリームデータなどを伴わないファイル３４５が、映像ファイル７、８、９、１０からストリームデータなどを伴わないファイル７８９１０が擬似的に作成される。また、ステップＳ２０７の映像ファイルの提示の処理では、映像ファイル３、４、５の映像ファイル情報の代わりに、映像ファイル３４５の映像ファイル情報が提示される。また、映像ファイル７、８、９、１０の映像ファイル情報の代わりに、映像ファイル７８９１０の映像ファイル情報が提示されることになる。
【００５６】
図２の説明に戻る。ステップＳ２１３以降の処理は、全ての映像ファイルの転送が終了した後（ステップＳ２１２）の、デジタルビデオカメラ１００内での結合ファイルの取り扱いについての処理である。
【００５７】
まずステップＳ２１３においてシステム制御部１０４は、接続された周辺機器が、ＤＶＤライターか、それ以外（パソコン等）かを検出する。ＤＶＤライターであればステップＳ２１４に進み、そうでなければ処理を終了する。
【００５８】
ステップＳ２１４においては、システム制御部１０４は、上記結合処理されたファイルの有無を検出する。結合ファイルがある場合はステップＳ２１５に進み、無い場合には処理を終了する。
【００５９】
ステップＳ２１５においてシステム制御部１０４は、結合ファイルの保存が選択されているか否かを検出する。結合ファイルの保存が選択されていればステップＳ２１６に進み、結合ファイルをＨＤＤ１０６に記録する。また、結合ファイルの保存が選択されていなければステップＳ２１７に進み、結合ファイルを削除する。
【００６０】
図４は、ファイル転送後の動作のイメージ図であり、図５は、結合ファイルの保存の選択に係るメニュー表示の一例を示す図である。
【００６１】
図５（ａ）は、結合された映像ファイル転送後の処理を選択するメニュー表示であり、本例では、「常に削除」、「常に保存」、「ファイル転送後にその都度選択」のいずれかの設定を選択可能としている。ユーザは予めこのメニュー表示から設定を行うようにしておく。
【００６２】
図５（ｂ）は、図５（ａ）で「ファイル転送後にその都度選択」を選択している場合の、ファイル転送後のメッセージ表示であり、「保存」又は「削除」を選択することができるようになっている。ステップＳ２１５で保存が選択されている場合は、図４に示すようにステップＳ２１６で結合ファイルを新しい映像ファイルとしてＨＤＤ１０６に記録する（図４＜ケース２＞）。一方、保存が選択されていない場合は、ステップＳ２１７で結合ファイルを削除（図４＜ケース１＞）する。
【００６３】
以上で、本発明の実施の形態を説明した。本実施の形態に係るデジタルビデオカメラ１００では、通信する周辺機器、（例えば、パソコンやＤＶＤライターなど）に応じて、複数の映像ファイルをそのまま転送するのか、自動的に結合して単数の映像ファイルとして転送するのかを切替えるようにした。このような構成により、通信先となる周辺機器に応じて、最適な映像ファイル転送をすることができる。
【００６４】
より具体的にはこのような構成は、例えば１シーンの撮影時間を一定の短い時間に自動的に制限する、いわゆるスナップ撮影した映像ファイルが大量に存在し、パソコンを介さず直接ＤＶＤライターになどに接続して、ＤＶＤを作成するような場合に有効となる。すなわち、デジタルビデオカメラ１００内のスナップ撮影した映像ファイルを結合して転送することができるため、ＤＶＤライターでＤＶＤを作成した場合に、再生したＤＶＤにおいて表示されるメニューにも限られた映像ファイル情報のみが表示される。そのため、ＤＶＤにおけるメニューなどの表示における煩わしさがなくなり、通常撮影したファイルとスナップ撮影で撮影したファイルとの区別も容易に判断できるようになる。
【００６５】
なお、本発明を適用したデジタルビデオカメラ１００をＤＶＤを作成するＤＶＤライターなどに直接接続する場合のみならず、例えばテレビ受像機に映像ファイルを転送する場合にも、ここで表示される映像ファイルのメニュー表示を視認性良くできたりもする。
【００６６】
また、上述した実施の形態では、本発明を適用可能な映像記録装置の一例としてデジタルビデオカメラを示したが、撮像部を持たない単なる映像記録装置であっても本発明を適用可能である。
【００６７】
また、本発明を実現するために、上述した実施形態の機能を実現するソフトウェアのプログラムコード（コンピュータプログラム）を記録した記憶媒体を用いても良い。この場合には記憶媒体をシステム或いは装置に供給し、そのシステム或いは装置のコンピュータ（又はＣＰＵやＭＰＵ）が記憶媒体に格納されたプログラムコードを読み出し実行することによって本発明の目的が達成される。
【００６８】
この場合、記憶媒体から読み出されたプログラムコード自体が上述した実施形態の機能を実現することになり、プログラムコード自体及びそのプログラムコードを記憶した記憶媒体は本発明を構成することになる。
【００６９】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００７０】
また、そのプログラムコードの指示に基づき、コンピュータ上で稼動しているＯＳ（基本システム或いはオペレーティングシステム）等が実際の処理の一部又は全部を行う場合も含まれることは言うまでもない。
【００７１】
さらに、記憶媒体から読み出されたプログラムコードが、コンピュータに挿入された機能拡張ボードやコンピュータに接続された機能拡張ユニットに備わるメモリに書き込まれてもよい。この場合には、書き込まれたプログラムコードの指示に基づき、その機能拡張ボードや機能拡張ユニットに備わるＣＰＵ等が実際の処理の一部又は全部を行ってもよい。
【図面の簡単な説明】
【００７２】
【図１】本発明の実施の形態に係る映像記録装置としてのデジタルビデオカメラの構成例を示したブロック図である。
【図２】本発明の実施の形態に係るデジタルビデオカメラが、周辺機器ホストであるＤＶＤライターあるいはＤＶＤバーナーからの映像ファイル転送要求に対して、スナップ撮影モードで撮影された複数の映像ファイルをピックアップし、単数の映像ファイルに結合してから転送する際のフローチャートである。
【図３】本発明の実施の形態に係るデジタルビデオカメラの動作を説明するイメージ図である。
【図４】本発明の実施の形態に係るデジタルビデオカメラの、ファイル転送後の動作のイメージ図である。
【図５】本発明の実施の形態に係るデジタルビデオカメラで表示される、結合ファイルの保存の選択に係るメニュー表示の一例を示す図である。
【符号の説明】
【００７３】
１０１  撮像部
１０２  マイクロフォン
１０３  操作部
１０４  システム制御部
１０５  記録再生部
１０６  ハードディスクドライブ（ＨＤＤ）
１０７  液晶パネル
１０８  映像出力端子
１０９  音声出力端子
１１０  記録処理ブロック
１１１  映像信号処理部
１１２  音声信号処理部
１１３  映像データ符号化部
１１４  音声データ符号化部
１１５  メタデータ生成部
１１６  データ符号化処理部
１２０  再生処理ブロック
１２１  映像出力部
１２２  音声出力部
１２３  映像データ復号化部
１２４  音声データ復号化部
１２５  データ復号化処理部
１３１  外部Ｉ／Ｆ（インターフェース）制御部
１３２  スピーカー
【図１】
2010148051.tif 000003
【図２】
2010148051.tif 000004
【図３】
2010148051.tif 000005
【図４】
2010148051.tif 000006
【図５】
2010148051.tif 000007